(57)【要約】【課題】１対Ｎ方式の監視制御システムにおいて、全子局のデータ取得時間の短縮を図り、待ち時間を低減する。【解決手段】監視又は制御対象である複数の子局１−Ａ〜１−Ｆ、２−Ａ〜２−Ｆと、複数の子局の各々が収集したデータに基づき、子局を監視又は制御する親局０からなる監視制御システムにおいて、複数の子局でグループを構成し、グループ内の子局で各々の子局が収集したデータを互いに送受信してグループ内でデータを共有し、親局からのデータ送信要求に応じて、グループ内で共有したデータを、グループ内のいずれかの子局から通信回線を介して親局に送信する。共有したデータを親局に送信するのと同期して、グループ内の子局間の通信を行い、親局と子局側の通信回線を２重化し、一方の通信回線で共有したデータを親局に送信し、他方を親局と複数の子局の各々との間の通信回線とすることが好ましい。【選択図】図１
2007135016.tif 000002
【特許請求の範囲】
【請求項１】
監視又は制御対象である複数の子局と、前記複数の子局の各々が収集したデータに基づいて、該複数の子局の各々を監視又は制御する親局とで構成される監視制御システムにおいて、
複数の前記子局でグループを構成し、該グループ内の子局で、各々の子局が収集したデータを互いに送受信することにより、該グループ内でデータを共有し、
前記親局からのデータ送信要求に応じて、前記グループ内で共有したデータを、前記グループ内のいずれかの子局から通信回線を介して前記親局に送信することを特徴とする監視制御システム。
【請求項２】
前記親局からのデータ送信要求に応じて、前記グループ内で共有したデータを前記グループ内のいずれかの子局から通信回線を介して前記親局に送信するのと同期して、前記グループ内の子局間の通信を行うことを特徴とする請求項１に記載の監視制御システム。
【請求項３】
前記グループ内の子局は、通信回線により互いにループ状に接続され、隣接する子局間で次々に各々の子局が収集したデータを送受信し、
前記親局は、最新のデータを記録したデータを、前記グループ内のいずれかの子局から定期的に取得することを特徴とする請求項１又は２に記載の監視制御システム。
【請求項４】
前記親局と前記子局側の通信回線を２重化し、一方の通信回線を前記グループ内で共有したデータを、前記グループ内のいずれかの子局から前記親局に送信する通信回線とするとともに、他方の通信回線を前記親局と前記複数の子局の各々との間の通信回線とすることを特徴とする請求項１、２又は３に記載の監視制御システム。
【発明の詳細な説明】
【技術分野】
【０００１】
本発明は、監視制御システムに関し、特に、監視センター等（親局）１局に対して複数の放送中継局等（子局）を一括監視する１：Ｎ方式の監視制御システムに関する。
【背景技術】
【０００２】
放送局の送信所及び中継局において、設置されている機器及び設備に異常が発生することは重大な放送事故（停波事故）に繋がる可能性があるため、異常が発生した場合には、早急に異常の発生を検知し、適切に対応する必要がある。監視制御システムとしては、監視センター（親局）１局に対して放送中継局（子局）１局を監視する１：１方式、及び監視センター１局に対して多数の子局を監視する１：Ｎ方式のシステムがある。
【０００３】
監視センター１局に対して子局１局監視を行う１：１方式の監視制御システムにおいては、監視センター〜子局間に専用線を設け、回線の占有、常時接続が可能であり、リアルタイムでの監視・制御が可能である。一方、監視センター１局に対して多数の子局を監視する１：Ｎ方式の監視制御システムは、監視センター１局に対して子局１局を監視する１：１方式の監視制御システムに比べ、同一の画面上で全局の一括監視が可能であり、センターサーバ（親局）を共有することによりコスト面の負担も軽くなるなどのメリットがある。
【０００４】
しかしながら、監視センター１局に対して多数の子局が電話回線を介して接続される１：Ｎ方式の監視制御システムについて、子局の数Ｎが増大すると、定時間監視等により全子局の監視データを取得するには長時間を要するという問題があった。
【０００５】
例えば、特許文献１に記載のポーリング伝送方式では、親局−子局間の通常のポーリング伝送に使用しているデータ通信用の回線以外に補助回線を準備し、子局に状態変化が発生した場合には、補助回線を経由して親局に状態変化の有無及び子局固有の情報を伝え、割り込み通信を行う。しかしながら、この技術では、複数の子局で略々同時に状態変化が発生すると、複数の子局の状態変化をリアルタイムで検知できないだけでなく、状態変化が発生した子局を特定できなかった場合には、全子局に対して確認のためのポーリング通信を行うため、状態変化の検知が遅れる可能性があるという問題があった。
【０００６】
そこで、前述の問題を克服するため、市内回線を用いて通信可能ないくつかの子局を１つのグループとし、固定化していない代表局がグループ内の子局のデータを取りまとめ、一括して定時監視を行い、緊急時の親局への異常通報は、各子局から直接行う監視制御システムが存在する。
【０００７】
【特許文献１】特公平６−２４３８４号公報
【発明の開示】
【発明が解決しようとする課題】
【０００８】
しかし、上記グループ化した子局を有する監視制御システムにおいても、１つの子局と親局とが通信中の際に、他の子局で異常が発生したような場合には、親局へ通信することができず、待ち時間が生じるといった問題があった。
【０００９】
そこで、本発明は、上記従来の従来の１対Ｎ方式の監視制御システムにおける問題点に鑑みてなされたものであって、全子局のデータ取得時間の短縮を図り、待ち時間を低減することのできる監視制御システムを提供することを目的とする。
【課題を解決するための手段】
【００１０】
上記目的を達成するため、本発明は、監視又は制御対象である複数の子局と、前記複数の子局の各々が収集したデータに基づいて、該複数の子局の各々を監視又は制御する親局とで構成される監視制御システムにおいて、複数の前記子局でグループを構成し、該グループ内の子局で、各々の子局が収集したデータを互いに送受信することにより、該グループ内でデータを共有し、前記親局からのデータ送信要求に応じて、前記グループ内で共有したデータを、前記グループ内のいずれかの子局から通信回線を介して前記親局に送信することを特徴とする。
【００１１】
そして、本発明によれば、グループ内で共有したデータを、グループ内のいずれかの子局から通信回線を介して前記親局に送信するため、センターサーバから各子局への通信回数を減らすことができ、監視データの取得に要する時間を短縮し、いずれかの子局がセンターサーバと通信中であっても待ち時間を低減することができ、通信費用を削減することができる。
【００１２】
また、前記監視制御システムにおいて、前記親局からのデータ送信要求に応じて、前記グループ内で共有したデータを前記グループ内のいずれかの子局から通信回線を介して前記親局に送信するのと同期して、前記グループ内の子局間の通信を行うことができる。これによって、グループ内での通信とセンターサーバからの定時監視に伴う通信の衝突を避けることができる。
【００１３】
さらに、前記監視制御システムにおいて、前記グループ内の子局を、通信回線により互いにループ状に接続し、隣接する子局間で次々に各々の子局が収集したデータを送受信し、前記親局は、最新のデータを記録したデータを、前記グループ内のいずれかの子局から定期的に取得することができる。
【００１４】
また、前記監視制御システムにおいて、前記親局と前記子局側の通信回線を２重化し、一方の通信回線を前記グループ内で共有したデータを、前記グループ内のいずれかの子局から前記親局に送信する通信回線とするとともに、他方の通信回線を前記親局と前記複数の子局の各々との間の通信回線とすることができる。これによって、親局から何れかの子局にデータ送信要求等で通信接続中であっても、他の子局が接続待ち状態になることを回避することが可能になる。
【発明の効果】
【００１５】
以上のように、本発明によれば、１対Ｎ方式の監視制御システムにおいて、全子局のデータ取得時間の短縮を図り、待ち時間を低減することのできる監視制御システムを提供することができる。
【発明を実施するための最良の形態】
【００１６】
図１及び図２は、本発明にかかる 監視制御システムの一実施の形態を示し、この 監視制御システムは、各子局の監視・制御を一括して行うセンターサーバ（親局）０と、放送波を中継する子局１−Ａ〜１−Ｆ、２−Ａ〜２−Ｆと、各子局に設置された自己検査機能を持つ放送機器に接続され、センターサーバ０からの遠隔操作により各子局内に設置された放送機器の異常検知等の監視及び制御を行う子機３−Ａ〜３−Ｆ（不図示、子局１−Ａ〜１−Ｆ内に設置、但し、図２に３−Ａ、３−Ｂのみ図示）、４−Ａ〜４−Ｆ（不図示、子局２−Ａ〜２−Ｆ内に設置）と、センターサーバ０と子機の通信接続を行うためのモデム５−Ａ、５−Ｂ（図２参照）、及びモデム６−Ａ−１〜６−Ｆ−２（不図示、子局１−Ａ〜１−Ｆ内に設置、但し、図２に６−Ａ−１〜６−Ｂ−２のみ図示）、モデム７−Ａ−１〜７−Ｆ−２（不図示、子局２−Ａ〜２−Ｆ内に設置）とで構成される。
【００１７】
ここで、一般電話回線により、センターサーバ０及びすべての子局と接続された子局のうち、比較的近地に位置する６つの子局を仮想的に１グループ（図１の子局１−Ａ〜１−Ｆ、又は子局２−Ａ〜２−Ｆ）とし、１０分毎に監視データを送信して１時間毎のデータを共有する。子局１−Ａは、毎時５分に監視データを子局１−Ｂに送信する。子局１−Ｂは、毎時１５分に監視データを子局１−Ｃに送信する。同様に、子局１−Ｃ〜子局１−Ｆは、１０分おきに各々次の子局に監視データを送信し、各グループ内で監視データを共有する。センターサーバ０からの監視データ送信要求や、定期的に行う定時監視を行う際には、センターサーバ０から各グループの任意の代表局へ接続し、監視データを取得するとともに、時刻同期信号を各グループの代表局へ送信する。
【００１８】
また、図２に示すように、センターサーバ０及び各子局に各々２本の回線を準備し、センターサーバ０側は、片側５−Ａを制御及び定時監視等の監視データ取得用とし、もう一方の回線５−Ｂを異常発生時等の子局側からの接続専用とする。一方、子局側は、片側６−Ａ−１〜６−Ｆ−１（図示例は、６−Ｂ−１）を子局間通信用とし、もう一方の回線６−Ａ−２〜６−Ｆ−２（図示例は、６−Ｂ−２）をセンターサーバ０との通信用とする。
【００１９】
また、全子局は、各々個別のアドレスを持ち、何れかの子局（子局１−Ｆとする）で異常が発生し、センターサーバ０に通信接続した場合には、センターサーバ０は、各グループの代表局に対して子局１−Ｆと通信中（子局１−Ｆのアドレス、及び通信中のビット）であることを伝え、データを受け取った代表局は、同様のデータを同一グループ内の他の子局へ伝える。尚、通信が終了したときは、センターサーバ０から同様のルートで通信が終了したことを伝える。子局１−Ｆがセンターサーバ０と通信を行っている最中に、他の子局（子局２−Ｄとする）で異常が発生した場合には、子局２−Ｄは、子局１−Ｆの受信用回線に対して異常発生を伝え、子局１−Ｆは、自局のデータに加えて子局２−Ｄのデータをセンターサーバ０に送信する。
【００２０】
次に、図１の系統図中の子局１−Ａ、１−Ｂと、センターサーバ０との回線接続の動作について、図２を参照しながら説明する。
【００２１】
同図において、子局１−Ａ内で異常が発生した場合には、子局１−Ａ内に設置された子機３−Ａは、センターサーバ０との通信用回線モデム６−Ａ−２からセンターサーバ０の異常発生時等の子局側からの接続専用回線モデム５−Ｂに接続し、センターサーバ０へ異常発生情報を送信する。また、次の子局間通信時に、同グループにある他の子局１−Ｂ内に設置された子機３−Ｂの子局間通信用回線モデム６−Ｂ−２へ共有データとして異常発生情報を送信する。
【００２２】
従来ダイアルアップを用いて監視を行うシステムで、総数Ｎの子局を数グループに分けた既存のシステムでは、センターサーバ０がいずれかの子局と通信している間に他の子局で異常が発生した場合等には、異常が発生した局からセンターへ異常発生情報を通報することができなかった。
【００２３】
本発明においては、センターサーバ０側の制御及び定時監視等の監視データ取得用回線モデム５−Ａは未使用であるため、センターサーバ０が他の子局と定時監視等を行っていても、子機３−Ａからの異常通報を受けることが可能になる。
【００２４】
次に、図１の系統図中の子局１−Ａに異常が発生しているときに、子局２−Ａで異常が発生した場合の動作について、図３及び図４を参照しながら説明する。
【００２５】
子局１−Ａで異常が発生した場合、子局１−Ａに設置された機器から子機
３−Ａ（図２参照）に異常が発生したことを示す信号が出力される（図４：Ｓ１）。子機３−Ａは、子局１−Ａ内に設置された機器からの異常発生信号を検知すると、センターサーバ０との通信用回線モデム６−Ａ−２がセンターサーバ０の異常発生時等の子局側からの接続専用回線モデム５−Ｂに接続異常発生データを送信する（図４：Ｓ２）。子機３−Ａから異常発生の情報を受けると、センターサーバ０は、制御及び定時監視等の監視データ取得用回線モデム５−Ａから各子局グループの任意の代表局へ子機３−Ａのアドレス、及び通信中のビットを送信し、子機３−Ａと通信中であることを伝える。
【００２６】
センターサーバ０から通信中の情報を受けた各子局グループの代表局は、同グループの他の子局へ、センターサーバ０が子局１−Ａの子機３−Ａと通信中であることを伝える（図４：Ｓ３）。このとき、図４に示すように、他の子局２−Ａで異常が発生すると、子局２−Ａの子機４−Ａ（不図示）は、グループ間通信で受信した「センターサーバ０が子局１−Ａの子機３−Ａと通信中である」というデータに基づき、子機３−Ａの子局間通信用のモデム６−Ａ−１へ自局のアドレスと異常発生のデータを送信する。子機４−Ａからのデータを受信した子機３−Ａは、自局のデータとともに、子機４−Ａ  から受信した子局２−Ａのデータをセンターサーバ０へ送信する。
【００２７】
従来のシステムでは、いずれかの子局で異常が発生し、センターサーバ０へ接続中に他の子局で異常が発生した場合、通信の待ち時間が発生していた。
【００２８】
本発明においては、センターサーバ０が各子局に子機３−Ａと通信中であることを伝え、後から異常が発生した子局２−Ａの子機４−Ａは、グループ間通信で受信した「センターサーバ０が子局１−Ａの子機３−Ａと通信中である」というデータに基づき、子機３−Ａの子局間通信用のモデム６−Ａ−１へ自局のアドレスと異常発生のデータを送信し、子機４−Ａからのデータを受信した子機３−Ａが、自局のデータとともに、子機４−Ａから受信した子局２−Ａのデータをセンターサーバ０へ送信することで、通信の待ち時間を短縮し、リアルタイムで監視することが可能になる。
【図面の簡単な説明】
【００２９】
【図１】本発明にかかる監視制御システムの一実施の形態を示す全体系統図である。
【図２】図１の監視制御システムの子機と、センターサーバの回線接続の動作を説明するための系統図である。
【図３】図１の監視制御システムの子局に異常が発生しているときに、別の子局で異常が発生した場合の動作を説明するための系統図である。
【図４】図１の監視制御システムの子局に異常が発生しているときに、別の子局で異常が発生した場合の動作を説明するためのフローチャートである。
【符号の説明】
【００３０】
０  センターサーバ（親局）
１−Ａ〜１−Ｆ、２−Ａ〜２−Ｆ  子局
３−Ａ〜３−Ｆ、４−Ａ〜４−Ｆ  子機
５−Ａ、５Ｂ  モデム
６−Ａ−１〜６−Ｆ−１、６−Ａ−２〜６−Ｆ−２  モデム
７−Ａ−１〜７−Ｆ−１、７−Ａ−２〜７−Ｆ−２  モデム
【図１】
2007135016.tif 000003
【図２】
2007135016.tif 000004
【図３】
2007135016.tif 000005
【図４】
2007135016.tif 000006